(57)【要約】【課題】オークション情報の更新をリアルタイムに通知し、更新に際してトラフィック量を低減すること。【解決手段】オークションに参加する出品者に操作される出品者端末１０1からのリクエストに応じて、出品者用ＨＴＭＬファイル７０および出品者用更新プログラム７１を該出品者端末１０1へ送信するステップと、出品者用更新プログラム７１が出品者端末１０1で実行されることにより、該出品者端末１０1よりオークションＩＤを受信した場合、オークション情報データベース４５における当該オークションに関するオークション情報の更新を監視するステップと、オークション情報が更新された場合、出品者端末１０1で出品者用オークションページに反映させるための更新情報を出品者端末１０1へ送信するステップとを含む。【選択図】        図１
2005149139.tif 000002
【特許請求の範囲】
【請求項１】
コンピュータに、
ネットワークを介して利用者間における物品の売買の機会を提供するオークションに参加する出品者に操作される出品者端末からのリクエストに応じて、出品者用オークションページのファイルおよび出品者用更新プログラムを該出品者端末へ送信する出品者側リクエスト応答工程と、
前記出品者用更新プログラムが前記出品者端末で実行されることにより、該出品者端末よりオークション識別情報を受信した場合、当該オークションに関するオークション情報の更新を監視する出品者側監視工程と、
前記オークション情報が更新された場合、前記出品者端末で前記出品者用オークションページに反映させるための更新情報を前記出品者端末へ送信する出品者側更新工程と、
を実行させるためのオークションプログラム。
【請求項２】
前記コンピュータに、前記出品者端末と前記オークションに参加する入札者により操作される入札者端末との間でやりとりされる双方向のコミュニケーションを仲介するコミュニケーション仲介工程を実行させることを特徴とする請求項１に記載のオークションプログラム。
【請求項３】
コンピュータに、
ネットワークを介して利用者間における物品の売買の機会を提供するオークションに参加する入札者に操作される入札者端末からのリクエストに応じて、入札者用オークションページのファイルおよび入札者用更新プログラムを該入札者端末へ送信する入札者側リクエスト応答工程と、
前記入札者用更新プログラムが前記入札者端末で実行されることにより、該入札者端末よりオークション識別情報を受信した場合、当該オークションに関するオークション情報の更新を監視する入札者側監視工程と、
前記オークション情報が更新された場合、前記入札者端末で前記入札者用オークションページに反映させるための更新情報を前記入札者端末へ送信する入札者側更新工程と、
を実行させるためのオークションプログラム。
【請求項４】
前記コンピュータに、前記オークションに参加する出品者により操作される出品者端末と前記入札者端末との間でやりとりされる双方向のコミュニケーションを仲介するコミュニケーション仲介工程を実行させることを特徴とする請求項３に記載のオークションプログラム。
【請求項５】
コンピュータに、
ネットワークを介して利用者間における物品の売買の機会を提供するオークションに参加にする出品者に操作される出品者端末からのリクエストに応じて、出品者用オークションページのファイルおよび出品者用更新プログラムを該出品者端末へ送信する出品者側リクエスト応答工程と、
前記出品者用更新プログラムが前記出品者端末で実行されることにより、該出品者端末よりオークション識別情報を受信した場合、当該オークションに関するオークション情報の更新を監視する出品者側監視工程と、
前記オークション情報が更新された場合、前記出品者端末で前記出品者用オークションページに反映させるための更新情報を前記出品者端末へ送信する出品者側更新工程と、
前記オークションに参加者する入札者に操作される入札者端末からのリクエストに応じて、入札者用オークションページのファイルおよび入札者用更新プログラムを該入札者端末へ送信する入札者側リクエスト応答工程と、
前記入札者用更新プログラムが前記入札者端末で実行されることにより、該入札者端末よりオークション識別情報を受信した場合、当該オークションに関するオークション情報の更新を監視する入札者側監視工程と、
前記オークション情報が更新された場合、前記入札者端末で前記入札者用オークションページに反映させるための更新情報を前記入札者端末へ送信する入札者側更新工程と、
を実行させるためのオークションプログラム。
【請求項６】
前記コンピュータに、前記出品者端末と前記入札者端末との間でやりとりされる双方向のコミュニケーションを仲介するコミュニケーション仲介工程を実行させることを特徴とする請求項５に記載のオークションプログラム。
【請求項７】
前記コミュニケーション仲介工程では、出品者、入札者により作成されたテキストのメッセージを介してコミュニケーションがとられることを特徴とする請求項２、４または６に記載のオークションプログラム。
【請求項８】
前記コミュニケーション仲介工程では、出品者、入札者の音声を介してコミュニケーションがとられることを特徴とする請求項２、４または６に記載のオークションプログラム。
【請求項９】
前記コミュニケーション仲介工程では、出品者、入札者の動画を介してコミュニケーションがとられることを特徴とする請求項２、４、６、７または８に記載のオークションプログラム。
【請求項１０】
ネットワークを介して利用者間における物品の売買の機会を提供するオークションに参加する出品者に操作される出品者端末からのリクエストに応じて、出品者用オークションページのファイルおよび出品者用更新プログラムを該出品者端末へ送信する出品者側リクエスト応答工程と、
前記出品者用更新プログラムが前記出品者端末で実行されることにより、該出品者端末よりオークション識別情報を受信した場合、当該オークションに関するオークション情報の更新を監視する出品者側監視工程と、
前記オークション情報が更新された場合、前記出品者端末で前記出品者用オークションページに反映させるための更新情報を前記出品者端末へ送信する出品者側更新工程と、
を含むことを特徴とするオークション方法。
【請求項１１】
前記出品者端末と前記オークションに参加する入札者により操作される入札者端末との間でやりとりされる双方向のコミュニケーションを仲介するコミュニケーション仲介工程を含むことを特徴とする請求項１０に記載のオークション方法。
【請求項１２】
ネットワークを介して利用者間における物品の売買の機会を提供するオークションに参加する入札者に操作される入札者端末からのリクエストに応じて、入札者用オークションページのファイルおよび入札者用更新プログラムを該入札者端末へ送信する入札者側リクエスト応答工程と、
前記入札者用更新プログラムが前記入札者端末で実行されることにより、該入札者端末よりオークション識別情報を受信した場合、当該オークションに関するオークション情報の更新を監視する入札者側監視工程と、
前記オークション情報が更新された場合、前記入札者端末で前記入札者用オークションページに反映させるための更新情報を前記入札者端末へ送信する入札者側更新工程と、
を含むことを特徴とするオークション方法。
【請求項１３】
前記オークションに参加する出品者により操作される出品者端末と前記入札者端末との間でやりとりされる双方向のコミュニケーションを仲介するコミュニケーション仲介工程を含むことを特徴とする請求項１２に記載のオークション方法。
【請求項１４】
ネットワークを介して利用者間における物品の売買の機会を提供するオークションに参加にする出品者に操作される出品者端末からのリクエストに応じて、出品者用オークションページのファイルおよび出品者用更新プログラムを該出品者端末へ送信する出品者側リクエスト応答工程と、
前記出品者用更新プログラムが前記出品者端末で実行されることにより、該出品者端末よりオークション識別情報を受信した場合、当該オークションに関するオークション情報の更新を監視する出品者側監視工程と、
前記オークション情報が更新された場合、前記出品者端末で前記出品者用オークションページに反映させるための更新情報を前記出品者端末へ送信する出品者側更新工程と、
前記オークションに参加者する入札者に操作される入札者端末からのリクエストに応じて、入札者用オークションページのファイルおよび入札者用更新プログラムを該入札者端末へ送信する入札者側リクエスト応答工程と、
前記入札者用更新プログラムが前記入札者端末で実行されることにより、該入札者端末よりオークション識別情報を受信した場合、当該オークションに関するオークション情報の更新を監視する入札者側監視工程と、
前記オークション情報が更新された場合、前記入札者端末で前記入札者用オークションページに反映させるための更新情報を前記入札者端末へ送信する入札者側更新工程と、
を含むことを特徴とするオークション方法。
【請求項１５】
前記出品者端末と前記入札者端末との間でやりとりされる双方向のコミュニケーションを仲介するコミュニケーション仲介工程を含むことを特徴とする請求項１４に記載のオークション方法。
【請求項１６】
前記コミュニケーション仲介工程では、出品者、入札者により作成されたテキストのメッセージを介してコミュニケーションがとられることを特徴とする請求項１１、１３または１５に記載のオークション方法。
【請求項１７】
前記コミュニケーション仲介工程では、出品者、入札者の音声を介してコミュニケーションがとられることを特徴とする請求項１１、１３または１５に記載のオークション方法。
【請求項１８】
前記コミュニケーション仲介工程では、出品者、入札者の動画を介してコミュニケーションがとられることを特徴とする請求項１１、１３、１５、１６または１７に記載のオークション方法。
【請求項１９】
ネットワークを介して利用者間における物品の売買の機会を提供するオークションに参加する出品者に操作される出品者端末からのリクエストに応じて、出品者用オークションページのファイルおよび出品者用更新プログラムを該出品者端末へ送信する出品者側リクエスト応答手段と、
前記出品者用更新プログラムが前記出品者端末で実行されることにより、該出品者端末よりオークション識別情報を受信した場合、当該オークションに関するオークション情報の更新を監視する出品者側監視手段と、
前記オークション情報が更新された場合、前記出品者端末で前記出品者用オークションページに反映させるための更新情報を前記出品者端末へ送信する出品者側更新手段と、
を備えたことを特徴とするオークション装置。
【請求項２０】
前記出品者端末と前記オークションに参加する入札者により操作される入札者端末との間でやりとりされる双方向のコミュニケーションを仲介するコミュニケーション仲介手段を備えたことを特徴とする請求項１９に記載のオークション装置。
【請求項２１】
ネットワークを介して利用者間における物品の売買の機会を提供するオークションに参加する入札者に操作される入札者端末からのリクエストに応じて、入札者用オークションページのファイルおよび入札者用更新プログラムを該入札者端末へ送信する入札者側リクエスト応答手段と、
前記入札者用更新プログラムが前記入札者端末で実行されることにより、該入札者端末よりオークション識別情報を受信した場合、当該オークションに関するオークション情報の更新を監視する入札者側監視手段と、
前記オークション情報が更新された場合、前記入札者端末で前記入札者用オークションページに反映させるための更新情報を前記入札者端末へ送信する入札者側更新手段と、
を備えたことを特徴とするオークション装置。
【請求項２２】
前記オークションに参加する出品者により操作される出品者端末と前記入札者端末との間でやりとりされる双方向のコミュニケーションを仲介するコミュニケーション仲介手段を備えたことを特徴とする請求項２１に記載のオークション装置。
【請求項２３】
ネットワークを介して利用者間における物品の売買の機会を提供するオークションに参加にする出品者に操作される出品者端末からのリクエストに応じて、出品者用オークションページのファイルおよび出品者用更新プログラムを該出品者端末へ送信する出品者側リクエスト応答手段と、
前記出品者用更新プログラムが前記出品者端末で実行されることにより、該出品者端末よりオークション識別情報を受信した場合、当該オークションに関するオークション情報の更新を監視する出品者側監視手段と、
前記オークション情報が更新された場合、前記出品者端末で前記出品者用オークションページに反映させるための更新情報を前記出品者端末へ送信する出品者側更新手段と、
前記オークションに参加者する入札者に操作される入札者端末からのリクエストに応じて、入札者用オークションページのファイルおよび入札者用更新プログラムを該入札者端末へ送信する入札者側リクエスト応答手段と、
前記入札者用更新プログラムが前記入札者端末で実行されることにより、該入札者端末よりオークション識別情報を受信した場合、当該オークションに関するオークション情報の更新を監視する入札者側監視手段と、
前記オークション情報が更新された場合、前記入札者端末で前記入札者用オークションページに反映させるための更新情報を前記入札者端末へ送信する入札者側更新手段と、
を備えたことを特徴とするオークション装置。
【請求項２４】
前記出品者端末と前記入札者端末との間でやりとりされる双方向のコミュニケーションを仲介するコミュニケーション仲介手段を備えたことを特徴とする請求項２３に記載のオークション装置。
【請求項２５】
前記コミュニケーション仲介手段は、出品者、入札者により作成されたテキストのメッセージを介してコミュニケーションがとられることを特徴とする請求項２０、２２または２４に記載のオークション装置。
【請求項２６】
前記コミュニケーション仲介手段は、出品者、入札者の音声を介してコミュニケーションがとられることを特徴とする請求項２０、２２または２４に記載のオークション装置。
【請求項２７】
前記コミュニケーション仲介手段は、出品者、入札者の動画を介してコミュニケーションがとられることを特徴とする請求項２０、２２、２４、２５または２６に記載のオークション装置。
【発明の詳細な説明】
【技術分野】
【０００１】
本発明は、インターネット上で開催されるオークションに用いて好適なオークションプログラム、オークション方法およびオークション装置に関するものであり、特に、オークション情報の更新をリアルタイムに通知することができ、更新に際してトラフィック量を低減することができるオークションプログラム、オークション方法およびオークション装置に関するものである。
【背景技術】
【０００２】
近時では、インターネットの急速な普及に伴って、出品者がインターネット上に商品を出品し、この商品に対して、複数の入札者が所望の金額を入札することにより競り上げてゆき、最高額を入札した入札者が当該商品を落札するというインターネットオークションが一般的になっている。ここで、インターネットオークション（以下、単にオークションと称する）とは、利用者間（出品者、入札者）における品物の売買の「機会」を提供するものをいう。利用者（出品者）がオークションを利用することにより、多くの他の利用者に対して物品の売買を希望していることを知らせることができ、当該利用者（出品者）には、最も高い価格で購入を希望している利用者と契約する機会が提供される。
【０００３】
このようなオークションを実現するためのオークションシステムは、オークション装置と、該オークション装置にインターネットを介して接続され、出品者により操作される複数の出品者端末と、該オークション装置にインターネットを介して接続され、入札者により操作される入札者端末とから構成されている。入札者端末および出品者端末には、Ｗｅｂページを閲覧するためのブラウザが実装されている。
【０００４】
オークション装置は、Ｗｅｂサーバ、データベースサーバとして機能しており、出品者端末に対して、Ｗｅｂページとしての出品者用オークションページを提供する。この出品者用オークションページには、出品者情報、商品情報、現在の価格、残り時間、最高額入札者、数量、入札件数、開始価格、入札単位、開始日時、終了日時等が表示されている。
【０００５】
また、オークション装置は、入札者端末に対して、Ｗｅｂページとしての入札者用オークションページを提供する。この入札者用オークションページには、出品者情報、商品情報、現在の価格、残り時間、最高額入札者、数量、入札件数、開始価格、入札単位、開始日時、終了日時等の他に、入札額入力欄、入札ボタン等が表示されている。入札額入力欄には、所望の入札額が入力される。入札ボタンは、入札時に押下される。
【０００６】
オークション開催中において、出品者は、出品した商品について、出品者用オークションページにおける現在の価格、入札件数、最高額入札者等（以下、オークション情報という）の推移に関心を寄せ、現在の価格の上昇に一喜一憂するというゲームで楽しみながら、出品者用オークションページを随時閲覧する。
【０００７】
すなわち、出品者の操作により、出品者端末がインターネットを介して、オークション装置にアクセスし、出品者用オークションページの閲覧要求を出すとオークション装置は、出品者用オークションページに対応するＨＴＭＬ（HyperText Markup Language）ファイルを出品者端末へ送信する。
【０００８】
これにより、出品者端末では、ブラウザで出品者用オークションページが閲覧可能となる。ここで、入札がある毎にオークション装置のデータベースにおけるオークション情報が更新されるため、出品者は、更新状況を確認すべく、任意のタイミングでブラウザの更新ボタンを押下する。
【０００９】
これにより、出品者端末がオークション装置に対して更新要求を出すと、オークション装置は、最新のＨＴＭＬファイル（１ページ分）を出品者端末へ送信する。これにより、出品者端末の出品者用オークションページが更新され、オークション装置のデータベースでオークション情報が更新されていれば、表示が変化する。なお、オークション装置のデータベースでオークション情報が変更されていなければ、更新ボタンが押下された前後で出品者用オークションページの表示は変化しない。
【００１０】
一方、オークション開催中において、入札者は、入札対象の商品について、入札者用オークションページにおけるオークション情報（現在の価格等）の推移を見守り、入札のタイミングをうかがっている。
【００１１】
すなわち、入札者の操作により、入札者端末がインターネットを介して、オークション装置にアクセスし、入札者用オークションページの閲覧要求を出すとオークション装置は、入札者用オークションページに対応するＨＴＭＬファイルを入札者端末へ送信する。
【００１２】
これにより、入札者端末では、ブラウザで入札者用オークションページが閲覧可能となる。ここで、ライバルである他の入札者により入札がある毎にオークション装置のデータベースにおける現在の価格等が更新されるため、入札者は、更新状況を確認すべく、任意のタイミングでブラウザの更新ボタンを押下する。
【００１３】
これにより、入札者端末がオークション装置に対して更新要求を出すと、オークション装置は、最新のＨＴＭＬファイル（１ページ分）を入札者端末へ送信する。これにより、入札者端末の入札者用オークションページが更新され、オークション装置のデータベースでオークション情報（現在の価格等）が更新されていれば、表示が変化する。なお、オークション装置のデータベースでオークション情報が変更されてなければ、更新ボタンが押下された前後で入札者用オークションページの表示は変化しない。
【００１４】
そして、入札者は、上述した更新を繰り返し、入札タイミングになると、入札額入力欄に入札額を入力した後、入札ボタンを押下する。これにより、入札者端末により、入札金額がオークション装置へ通知され、オークション装置は、データベースにおけるオークション情報（現在の価格等）を更新する。
【００１５】
【特許文献１】特開２００３−２５６６８８号公報
【発明の開示】
【発明が解決しようとする課題】
【００１６】
ところで、従来のオークションシステムにおいては、出品者用オークションページ、入札者用オークションページを更新する場合、出品者、入札者により手動で更新ボタンを押下する必要がある。
【００１７】
従って、従来のオークションシステムにおいては、更新ボタンが押下されたタイミングと、実際にデータベースのオークション情報が更新されたタイミングが同期しないため、出品者、入札者が、リアルタイムにオークション情報の更新を認識し、臨場感溢れるオークションを体験をすることが難しいという問題があった。
【００１８】
特に、入札者の場合には、オークション情報の更新の認識が遅れることにより、入札タイミングをはずし、入札に失敗するという不利益を被る可能性が非常に高い。
【００１９】
なお、更新ボタンを高頻繁で押下することにより、ほぼリアルタイムに更新を認識することができるが、この手法では、操作が煩わしいという別の問題があり、実用的ではない。
【００２０】
また、従来のオークションシステムにおいては、更新ボタンが押下されると、出品者端末（入札者端末）に対して、更新量の多少にかかわらず１ページ分のＨＴＭＬファイルが機械的にオークション装置から送信されるため、インターネットのトラフィック量の増加を招くという問題もあった。
【００２１】
本発明は、上記に鑑みてなされたものであって、オークション情報の更新をリアルタイムに通知することができ、更新に際してトラフィック量を低減することができるオークションプログラム、オークション方法およびオークション装置を提供することを目的とする。
【課題を解決するための手段】
【００２２】
上述した課題を解決し、目的を達成するために、本発明は、コンピュータに、ネットワークを介して利用者間における物品の売買の機会を提供するオークションに参加する出品者に操作される出品者端末からのリクエストに応じて、出品者用オークションページのファイルおよび出品者用更新プログラムを該出品者端末へ送信する出品者側リクエスト応答工程と、前記出品者用更新プログラムが前記出品者端末で実行されることにより、該出品者端末よりオークション識別情報を受信した場合、当該オークションに関するオークション情報の更新を監視する出品者側監視工程と、前記オークション情報が更新された場合、前記出品者端末で前記出品者用オークションページに反映させるための更新情報を前記出品者端末へ送信する出品者側更新工程と、を実行させるためのオークションプログラムである。
【００２３】
この発明によれば、出品者端末からのリクエストに応じて、出品者用オークションページのファイルおよび出品者用更新プログラムを出品者端末へ送信し、出品者端末よりオークション識別情報を受信した場合、当該オークションに関するオークション情報の更新を監視し、オークション情報が更新された場合、出品者端末で出品者用オークションページに反映させるための更新情報を出品者端末へ送信することとしたので、オークション情報の更新をリアルタイムに出品者に通知することができる。
【００２４】
また、本発明は、上記発明において、前記コンピュータに、前記出品者端末と前記オークションに参加する入札者により操作される入札者端末との間でやりとりされる双方向のコミュニケーションを仲介するコミュニケーション仲介工程を実行させることを特徴とする。
【００２５】
この発明によれば、出品者端末と入札者端末との間でやりとりされる双方向のコミュニケーションを仲介することとしたので、スムーズにオークションの取引を行うことができる。
【００２６】
また、本発明は、コンピュータに、ネットワークを介して利用者間における物品の売買の機会を提供するオークションに参加する入札者に操作される入札者端末からのリクエストに応じて、入札者用オークションページのファイルおよび入札者用更新プログラムを該入札者端末へ送信する入札者側リクエスト応答工程と、前記入札者用更新プログラムが前記入札者端末で実行されることにより、該入札者端末よりオークション識別情報を受信した場合、当該オークションに関するオークション情報の更新を監視する入札者側監視工程と、前記オークション情報が更新された場合、前記入札者端末で前記入札者用オークションページに反映させるための更新情報を前記入札者端末へ送信する入札者側更新工程と、を実行させるためのオークションプログラムである。
【００２７】
この発明によれば、入札者端末からのリクエストに応じて、入札者用オークションページのファイルおよび入札者用更新プログラムを入札者端末へ送信し、入札者端末よりオークション識別情報を受信した場合、当該オークションに関するオークション情報の更新を監視し、オークション情報が更新された場合、入札者端末で入札者用オークションページに反映させるための更新情報を入札者端末へ送信することとしたので、オークション情報の更新をリアルタイムに入札者に通知することができる。
【００２８】
また、本発明は、上記発明において、前記コンピュータに、前記オークションに参加する出品者により操作される出品者端末と前記入札者端末との間でやりとりされる双方向のコミュニケーションを仲介するコミュニケーション仲介工程を実行させることを特徴とする。
【００２９】
この発明によれば、出品者端末と入札者端末との間でやりとりされる双方向のコミュニケーションを仲介することとしたので、スムーズにオークションの取引を行うことができる。
【００３０】
また、本発明は、コンピュータに、ネットワークを介して利用者間における物品の売買の機会を提供するオークションに参加にする出品者に操作される出品者端末からのリクエストに応じて、出品者用オークションページのファイルおよび出品者用更新プログラムを該出品者端末へ送信する出品者側リクエスト応答工程と、前記出品者用更新プログラムが前記出品者端末で実行されることにより、該出品者端末よりオークション識別情報を受信した場合、当該オークションに関するオークション情報の更新を監視する出品者側監視工程と、前記オークション情報が更新された場合、前記出品者端末で前記出品者用オークションページに反映させるための更新情報を前記出品者端末へ送信する出品者側更新工程と、前記オークションに参加者する入札者に操作される入札者端末からのリクエストに応じて、入札者用オークションページのファイルおよび入札者用更新プログラムを該入札者端末へ送信する入札者側リクエスト応答工程と、前記入札者用更新プログラムが前記入札者端末で実行されることにより、該入札者端末よりオークション識別情報を受信した場合、当該オークションに関するオークション情報の更新を監視する入札者側監視工程と、前記オークション情報が更新された場合、前記入札者端末で前記入札者用オークションページに反映させるための更新情報を前記入札者端末へ送信する入札者側更新工程と、を実行させるためのオークションプログラムである。
【００３１】
この発明によれば、出品者端末（入札者端末）からのリクエストに応じて、出品者用オークションページ（入札者用オークションページ）のファイルおよび出品者用更新プログラム（入札者側更新プログラム）を出品者端末（入札者端末）へ送信し、出品者端末（入札者端末）よりオークション識別情報を受信した場合、当該オークションに関するオークション情報の更新を監視し、オークション情報が更新された場合、出品者端末（入札者端末）で出品者用オークションページ（入札者用オークションページ）に反映させるための更新情報を出品者端末（入札者端末）へ送信することとしたので、オークション情報の更新をリアルタイムに出品者（入札者）に通知することができる。
【００３２】
また、本発明は、上記発明において、前記コンピュータに、前記出品者端末と前記入札者端末との間でやりとりされる双方向のコミュニケーションを仲介するコミュニケーション仲介工程を実行させることを特徴とする。
【００３３】
この発明によれば、出品者端末と入札者端末との間でやりとりされる双方向のコミュニケーションを仲介することとしたので、スムーズにオークションの取引を行うことができる。
【００３４】
また、本発明は、上記発明において、前記コミュニケーション仲介工程では、出品者、入札者により作成されたテキストのメッセージを介してコミュニケーションがとられることを特徴とする。
【００３５】
この発明によれば、出品者、入札者により作成されたテキストのメッセージを介してコミュニケーションをとることとしたので、スムーズにオークションの取引を行うことができる。
【００３６】
また、本発明は、上記発明において、前記コミュニケーション仲介工程では、出品者、入札者の音声を介してコミュニケーションがとられることを特徴とする。
【００３７】
この発明によれば、出品者、入札者の音声を介してコミュニケーションをとることとしたので、スムーズにオークションの取引を行うことができる。
【００３８】
また、本発明は、上記発明において、前記コミュニケーション仲介工程では、出品者、入札者の動画を介してコミュニケーションがとられることを特徴とする。
【００３９】
この発明によれば、出品者、入札者の動画を介してコミュニケーションをとることとしたので、スムーズにオークションの取引を行うことができる。
【００４０】
また、本発明は、ネットワークを介して利用者間における物品の売買の機会を提供するオークションに参加する出品者に操作される出品者端末からのリクエストに応じて、出品者用オークションページのファイルおよび出品者用更新プログラムを該出品者端末へ送信する出品者側リクエスト応答工程と、前記出品者用更新プログラムが前記出品者端末で実行されることにより、該出品者端末よりオークション識別情報を受信した場合、当該オークションに関するオークション情報の更新を監視する出品者側監視工程と、前記オークション情報が更新された場合、前記出品者端末で前記出品者用オークションページに反映させるための更新情報を前記出品者端末へ送信する出品者側更新工程と、を含むことを特徴とする。
【００４１】
この発明によれば、出品者端末からのリクエストに応じて、出品者用オークションページのファイルおよび出品者用更新プログラムを出品者端末へ送信し、出品者端末よりオークション識別情報を受信した場合、当該オークションに関するオークション情報の更新を監視し、オークション情報が更新された場合、出品者端末で出品者用オークションページに反映させるための更新情報を出品者端末へ送信することとしたので、オークション情報の更新をリアルタイムに出品者に通知することができる。
【００４２】
また、本発明は、上記発明において、前記出品者端末と前記オークションに参加する入札者により操作される入札者端末との間でやりとりされる双方向のコミュニケーションを仲介するコミュニケーション仲介工程を含むことを特徴とする。
【００４３】
この発明によれば、出品者端末と入札者端末との間でやりとりされる双方向のコミュニケーションを仲介することとしたので、スムーズにオークションの取引を行うことができる。
【００４４】
また、本発明は、ネットワークを介して利用者間における物品の売買の機会を提供するオークションに参加する入札者に操作される入札者端末からのリクエストに応じて、入札者用オークションページのファイルおよび入札者用更新プログラムを該入札者端末へ送信する入札者側リクエスト応答工程と、前記入札者用更新プログラムが前記入札者端末で実行されることにより、該入札者端末よりオークション識別情報を受信した場合、当該オークションに関するオークション情報の更新を監視する入札者側監視工程と、前記オークション情報が更新された場合、前記入札者端末で前記入札者用オークションページに反映させるための更新情報を前記入札者端末へ送信する入札者側更新工程と、を含むことを特徴とする。
【００４５】
この発明によれば、入札者端末からのリクエストに応じて、入札者用オークションページのファイルおよび入札者用更新プログラムを入札者端末へ送信し、入札者端末よりオークション識別情報を受信した場合、当該オークションに関するオークション情報の更新を監視し、オークション情報が更新された場合、入札者端末で入札者用オークションページに反映させるための更新情報を入札者端末へ送信することとしたので、オークション情報の更新をリアルタイムに入札者に通知することができる。
【００４６】
また、本発明は、上記発明において、前記オークションに参加する出品者により操作される出品者端末と前記入札者端末との間でやりとりされる双方向のコミュニケーションを仲介するコミュニケーション仲介工程を含むことを特徴とする。
【００４７】
この発明によれば、出品者端末と入札者端末との間でやりとりされる双方向のコミュニケーションを仲介することとしたので、スムーズにオークションの取引を行うことができる。
【００４８】
また、本発明は、ネットワークを介して利用者間における物品の売買の機会を提供するオークションに参加にする出品者に操作される出品者端末からのリクエストに応じて、出品者用オークションページのファイルおよび出品者用更新プログラムを該出品者端末へ送信する出品者側リクエスト応答工程と、前記出品者用更新プログラムが前記出品者端末で実行されることにより、該出品者端末よりオークション識別情報を受信した場合、当該オークションに関するオークション情報の更新を監視する出品者側監視工程と、前記オークション情報が更新された場合、前記出品者端末で前記出品者用オークションページに反映させるための更新情報を前記出品者端末へ送信する出品者側更新工程と、前記オークションに参加者する入札者に操作される入札者端末からのリクエストに応じて、入札者用オークションページのファイルおよび入札者用更新プログラムを該入札者端末へ送信する入札者側リクエスト応答工程と、前記入札者用更新プログラムが前記入札者端末で実行されることにより、該入札者端末よりオークション識別情報を受信した場合、当該オークションに関するオークション情報の更新を監視する入札者側監視工程と、前記オークション情報が更新された場合、前記入札者端末で前記入札者用オークションページに反映させるための更新情報を前記入札者端末へ送信する入札者側更新工程と、を含むことを特徴とする。
【００４９】
この発明によれば、出品者端末（入札者端末）からのリクエストに応じて、出品者用オークションページ（入札者用オークションページ）のファイルおよび出品者用更新プログラム（入札者側更新プログラム）を出品者端末（入札者端末）へ送信し、出品者端末（入札者端末）よりオークション識別情報を受信した場合、当該オークションに関するオークション情報の更新を監視し、オークション情報が更新された場合、出品者端末（入札者端末）で出品者用オークションページ（入札者用オークションページ）に反映させるための更新情報を出品者端末（入札者端末）へ送信することとしたので、オークション情報の更新をリアルタイムに出品者（入札者）に通知することができる。
【００５０】
また、本発明は、上記発明において、前記出品者端末と前記入札者端末との間でやりとりされる双方向のコミュニケーションを仲介するコミュニケーション仲介工程を含むことを特徴とする。
【００５１】
この発明によれば、出品者端末と入札者端末との間でやりとりされる双方向のコミュニケーションを仲介することとしたので、スムーズにオークションの取引を行うことができる。
【００５２】
また、本発明は、上記発明において、前記コミュニケーション仲介工程では、出品者、入札者により作成されたテキストのメッセージを介してコミュニケーションがとられることを特徴とする。
【００５３】
この発明によれば、出品者、入札者により作成されたテキストのメッセージを介してコミュニケーションをとることとしたので、スムーズにオークションの取引を行うことができる。
【００５４】
また、本発明は、上記発明において、前記コミュニケーション仲介工程では、出品者、入札者の音声を介してコミュニケーションがとられることを特徴とする。
【００５５】
この発明によれば、出品者、入札者の音声を介してコミュニケーションをとることとしたので、スムーズにオークションの取引を行うことができる。
【００５６】
また、本発明は、上記発明において、前記コミュニケーション仲介工程では、出品者、入札者の動画を介してコミュニケーションがとられることを特徴とする。
【００５７】
この発明によれば、出品者、入札者の動画を介してコミュニケーションをとることとしたので、スムーズにオークションの取引を行うことができる。
【００５８】
また、本発明は、ネットワークを介して利用者間における物品の売買の機会を提供するオークションに参加する出品者に操作される出品者端末からのリクエストに応じて、出品者用オークションページのファイルおよび出品者用更新プログラムを該出品者端末へ送信する出品者側リクエスト応答手段と、前記出品者用更新プログラムが前記出品者端末で実行されることにより、該出品者端末よりオークション識別情報を受信した場合、当該オークションに関するオークション情報の更新を監視する出品者側監視手段と、前記オークション情報が更新された場合、前記出品者端末で前記出品者用オークションページに反映させるための更新情報を前記出品者端末へ送信する出品者側更新手段と、を備えたことを特徴とする。
【００５９】
この発明によれば、出品者端末からのリクエストに応じて、出品者用オークションページのファイルおよび出品者用更新プログラムを出品者端末へ送信し、出品者端末よりオークション識別情報を受信した場合、当該オークションに関するオークション情報の更新を監視し、オークション情報が更新された場合、出品者端末で出品者用オークションページに反映させるための更新情報を出品者端末へ送信することとしたので、オークション情報の更新をリアルタイムに出品者に通知することができる。
【００６０】
また、本発明は、上記発明において、前記出品者端末と前記オークションに参加する入札者により操作される入札者端末との間でやりとりされる双方向のコミュニケーションを仲介するコミュニケーション仲介手段を備えたことを特徴とする。
【００６１】
この発明によれば、出品者端末と入札者端末との間でやりとりされる双方向のコミュニケーションを仲介することとしたので、スムーズにオークションの取引を行うことができる。
【００６２】
また、本発明は、ネットワークを介して利用者間における物品の売買の機会を提供するオークションに参加する入札者に操作される入札者端末からのリクエストに応じて、入札者用オークションページのファイルおよび入札者用更新プログラムを該入札者端末へ送信する入札者側リクエスト応答手段と、前記入札者用更新プログラムが前記入札者端末で実行されることにより、該入札者端末よりオークション識別情報を受信した場合、当該オークションに関するオークション情報の更新を監視する入札者側監視手段と、前記オークション情報が更新された場合、前記入札者端末で前記入札者用オークションページに反映させるための更新情報を前記入札者端末へ送信する入札者側更新手段と、を備えたことを特徴とする。
【００６３】
この発明によれば、入札者端末からのリクエストに応じて、入札者用オークションページのファイルおよび入札者用更新プログラムを入札者端末へ送信し、入札者端末よりオークション識別情報を受信した場合、当該オークションに関するオークション情報の更新を監視し、オークション情報が更新された場合、入札者端末で入札者用オークションページに反映させるための更新情報を入札者端末へ送信することとしたので、オークション情報の更新をリアルタイムに入札者に通知することができる。
【００６４】
また、本発明は、上記発明において、前記オークションに参加する出品者により操作される出品者端末と前記入札者端末との間でやりとりされる双方向のコミュニケーションを仲介するコミュニケーション仲介手段を備えたことを特徴とする。
【００６５】
この発明によれば、出品者端末と入札者端末との間でやりとりされる双方向のコミュニケーションを仲介することとしたので、スムーズにオークションの取引を行うことができる。
【００６６】
また、本発明は、ネットワークを介して利用者間における物品の売買の機会を提供するオークションに参加にする出品者に操作される出品者端末からのリクエストに応じて、出品者用オークションページのファイルおよび出品者用更新プログラムを該出品者端末へ送信する出品者側リクエスト応答手段と、前記出品者用更新プログラムが前記出品者端末で実行されることにより、該出品者端末よりオークション識別情報を受信した場合、当該オークションに関するオークション情報の更新を監視する出品者側監視手段と、前記オークション情報が更新された場合、前記出品者端末で前記出品者用オークションページに反映させるための更新情報を前記出品者端末へ送信する出品者側更新手段と、前記オークションに参加者する入札者に操作される入札者端末からのリクエストに応じて、入札者用オークションページのファイルおよび入札者用更新プログラムを該入札者端末へ送信する入札者側リクエスト応答手段と、前記入札者用更新プログラムが前記入札者端末で実行されることにより、該入札者端末よりオークション識別情報を受信した場合、当該オークションに関するオークション情報の更新を監視する入札者側監視手段と、前記オークション情報が更新された場合、前記入札者端末で前記入札者用オークションページに反映させるための更新情報を前記入札者端末へ送信する入札者側更新手段と、を備えたことを特徴とする。
【００６７】
この発明によれば、出品者端末（入札者端末）からのリクエストに応じて、出品者用オークションページ（入札者用オークションページ）のファイルおよび出品者用更新プログラム（入札者側更新プログラム）を出品者端末（入札者端末）へ送信し、出品者端末（入札者端末）よりオークション識別情報を受信した場合、当該オークションに関するオークション情報の更新を監視し、オークション情報が更新された場合、出品者端末（入札者端末）で出品者用オークションページ（入札者用オークションページ）に反映させるための更新情報を出品者端末（入札者端末）へ送信することとしたので、オークション情報の更新をリアルタイムに出品者（入札者）に通知することができる。
【００６８】
また、本発明は、上記発明において、前記出品者端末と前記入札者端末との間でやりとりされる双方向のコミュニケーションを仲介するコミュニケーション仲介手段を備えたことを特徴とする。
【００６９】
この発明によれば、出品者端末と入札者端末との間でやりとりされる双方向のコミュニケーションを仲介することとしたので、スムーズにオークションの取引を行うことができる。
【００７０】
また、本発明は、上記発明において、前記コミュニケーション仲介手段は、出品者、入札者により作成されたテキストのメッセージを介してコミュニケーションがとられることを特徴とする。
【００７１】
この発明によれば、出品者、入札者により作成されたテキストのメッセージを介してコミュニケーションをとることとしたので、スムーズにオークションの取引を行うことができる。
【００７２】
また、本発明は、上記発明において、前記コミュニケーション仲介手段は、出品者、入札者の音声を介してコミュニケーションがとられることを特徴とする。
【００７３】
この発明によれば、出品者、入札者の音声を介してコミュニケーションをとることとしたので、スムーズにオークションの取引を行うことができる。
【００７４】
また、本発明は、上記発明において、前記コミュニケーション仲介手段は、出品者、入札者の動画を介してコミュニケーションがとられることを特徴とする。
【００７５】
この発明によれば、出品者、入札者の動画を介してコミュニケーションをとることとしたので、スムーズにオークションの取引を行うことができる。
【発明の効果】
【００７６】
本発明によれば、出品者端末からのリクエストに応じて、出品者用オークションページのファイルおよび出品者用更新プログラムを出品者端末へ送信し、出品者端末よりオークション識別情報を受信した場合、当該オークションに関するオークション情報の更新を監視し、オークション情報が更新された場合、出品者端末で出品者用オークションページに反映させるための更新情報を出品者端末へ送信することとしたので、オークション情報の更新をリアルタイムに出品者に通知することができるという効果を奏する。
【００７７】
また、本発明によれば、出品者端末と入札者端末との間でやりとりされる双方向のコミュニケーションを仲介することとしたので、スムーズにオークションの取引を行うことができるという効果を奏する。
【００７８】
また、本発明によれば、入札者端末からのリクエストに応じて、入札者用オークションページのファイルおよび入札者用更新プログラムを入札者端末へ送信し、入札者端末よりオークション識別情報を受信した場合、当該オークションに関するオークション情報の更新を監視し、オークション情報が更新された場合、入札者端末で入札者用オークションページに反映させるための更新情報を入札者端末へ送信することとしたので、オークション情報の更新をリアルタイムに入札者に通知することができるという効果を奏する。
【００７９】
また、本発明によれば、出品者端末（入札者端末）からのリクエストに応じて、出品者用オークションページ（入札者用オークションページ）のファイルおよび出品者用更新プログラム（入札者側更新プログラム）を出品者端末（入札者端末）へ送信し、出品者端末（入札者端末）よりオークション識別情報を受信した場合、当該オークションに関するオークション情報の更新を監視し、オークション情報が更新された場合、出品者端末（入札者端末）で出品者用オークションページ（入札者用オークションページ）に反映させるための更新情報を出品者端末（入札者端末）へ送信することとしたので、オークション情報の更新をリアルタイムに出品者（入札者）に通知することができるという効果を奏する。
【００８０】
また、本発明によれば、出品者、入札者により作成されたテキストのメッセージを介してコミュニケーションをとることとしたので、スムーズにオークションの取引を行うことができるという効果を奏する。
【００８１】
また、本発明によれば、出品者、入札者の音声を介してコミュニケーションをとることとしたので、スムーズにオークションの取引を行うことができるという効果を奏する。
【００８２】
また、本発明によれば、出品者、入札者の動画を介してコミュニケーションをとることとしたので、スムーズにオークションの取引を行うことができるという効果を奏する。
【発明を実施するための最良の形態】
【００８３】
以下に、本発明にかかるオークションプログラム、オークション方法およびオークション装置の一実施例を図面に基づいて詳細に説明する。なお、この一実施例によりこの発明が限定されるものではない。
【実施例】
【００８４】
図１は、本発明の一実施例の構成を示すブロック図である。同図には、出品者と落札者との間において、インターネット上でオークションを開催するためのオークションシステムが図示されている。
【００８５】
このオークションシステムにおいて、出品者端末１０1〜１０nは、インターネット２０を介して、オークション装置６０、更新装置８０にアクセス可能とされており、オークションに商品を出品する各出品者により操作されるｎ台のコンピュータ端末（デスクトップ型、ノート型、携帯型等）である。
【００８６】
これらの出品者端末１０1〜１０nは、コンピュータ本体、ディスプレイ、通信インタフェースカード、キーボード、マウス等から構成されている。また、これらの出品者端末１０1〜１０nには、Ｗｅｂページ（例えば、出品者用オークションページ７２：図２参照）を閲覧するためのブラウザが実装されている。
【００８７】
図２に示した出品者用オークションページ７２は、出品者により閲覧され、例えば、出品者端末１０1に表示されるＷｅｂページであり、後述するオークション装置６０から送信される出品者用ＨＴＭＬファイル７０に対応している。
【００８８】
出品者用オークションページ７２には、出品者に対するオークション情報が表示されている。具体的には、出品者用オークションページ７２において、商品名７２ａは、当該出品者により出品された商品の名称である。出品者情報７２ｂは、出品者に付与されたユーザＩＤ（ニックネームに相当）や、当該出品者の信頼度の指標となる評価等の情報である。
【００８９】
商品情報７２ｃは、現在の価格、残り時間、最高額入札者、数量、入札件数、開始価格、入札単位、開始日時、終了日時、オークションＩＤ等の情報である。商品画像７２ｄは、当該商品の画像である。商品説明７２ｅは、当該商品を説明するためのテキストである。入札者顔画像７２ｆは、入札者の顔画像である。コミュニケーションボタン７２ｇは、出品者と入札者との間でコミュニケーションをとる場合に押下されるボタンである。
【００９０】
双方向メッセージ表示欄７２ｈは、チャットにより、出品者と入札者との間で、やりとりされたメッセージ（挨拶や商品に関する問い合わせ、質問等）を表示する欄である。メッセージ入力欄７２ｉは、出品者によりメッセージが入力される欄である。
【００９１】
送信ボタン７２ｊは、メッセージ入力欄７２ｉに入力されたメッセージを入札者端末へ送信する場合に押下されるボタンである。アクセス総数表示欄７２ｋは、当該オークションに関して入札者がアクセスした総数を表示するための欄である。
【００９２】
入札者端末３０1〜３０mは、インターネット２０を介して、オークション装置６０、更新装置８０にアクセス可能とされており、前述した出品者により出品された商品の入札に参加する各入札者により操作されるｍ台のコンピュータ端末（デスクトップ型、ノート型、携帯型）である。
【００９３】
これらの入札者端末３０1〜３０mは、コンピュータ本体、ディスプレイ、通信インタフェースカード、キーボード、マウス等から構成されている。また、これらの入札者端末３０1〜３０mには、Ｗｅｂページ（例えば、入札者用オークションページ７５：図３参照）を閲覧するためのブラウザが実装されている。
【００９４】
図３に示した入札者用オークションページ７５は、入札者により閲覧され、例えば、入札者端末３０1に表示されるＷｅｂページであり、後述するオークション装置６０から送信される入札者用ＨＴＭＬファイル７３に対応している。
【００９５】
入札者用オークションページ７５には、入札者に対するオークション情報が表示されている。具体的には、入札者用オークションページ７５において、商品名７５ａは、商品名７２ａ（図２参照）に対応しており、出品者により出品された商品の名称である。出品者情報７５ｂは、出品者情報７２ｂ（図２参照）に対応しており、出品者に付与されたユーザＩＤ（ニックネームに相当）や、当該出品者の信頼性の指標となる評価等の情報である。
【００９６】
商品情報７５ｃは、商品情報７２ｃ（図２参照）に対応しており、現在の価格、残り時間、最高額入札者、数量、入札件数、開始価格、入札単位、開始日時、終了日時、オークションＩＤ等の情報である。商品画像７５ｄは、商品画像７２ｄ（図２参照）に対応しており、当該商品の画像である。商品説明７５ｅは、商品説明７２ｅ（図２参照）に対応しており、当該商品を説明するためのテキストである。出品者顔画像７５ｆは、出品者の顔画像である。コミュニケーションボタン７５ｇは、出品者と入札者との間でコミュニケーションをとる場合に押下されるボタンである。
【００９７】
双方向メッセージ表示欄７５ｈは、双方向メッセージ表示欄７２ｈ（図２参照）に対応しており、チャットにより、出品者と入札者との間でやりとりされたメッセージ（挨拶や商品に関する問い合わせ、質問等）を表示する欄である。メッセージ入力欄７５ｉは、メッセージ入力欄７２ｉ（図２参照）に対応しており、入札者によりメッセージが入力される欄である。
【００９８】
送信ボタン７５ｊは、送信ボタン７２ｊ（図２参照）に対応しており、メッセージ入力欄７５ｉに入力されたメッセージを出品者端末へ送信する場合に押下されるボタンである。入札欄７５ｋは、当該オークションに関して入札者が入札に参加するための欄であり、入札額入力欄７５ｌ、パスワード入力欄７５ｍおよび入札ボタン７５ｎを含む。
【００９９】
入札額入力欄７５ｌは、当該商品に関する入札額を入力するための欄である。パスワード入力欄７５ｍは、入札者に付与されたパスワードを入力するための欄である。入札ボタン７５ｎは、入札を実行する際に押下されるボタンである。
【０１００】
図１に戻り、データベース装置４０は、ユーザ情報やオークション情報をデータベースで管理するデータベースサーバであり、制御部４１、記憶部４２、通信部４３、ユーザ情報データベース４４およびオークション情報データベース４５を備えている。
【０１０１】
制御部４１は、データベース装置４０の各部を制御する。記憶部４２は、制御部４１で用いられるコンピュータプログラム、各種情報を記憶する。通信部４３は、ＬＡＮ（Local Area Network）５０に接続されており、所定の通信プロトコルに従って通信を制御する。
【０１０２】
ユーザ情報データベース４４は、オークションシステムのユーザ（出品者、入札者）に関するユーザ情報を格納するデータベースである。具体的には、図４に示したユーザ情報データベース４４には、「ユーザＩＤ」、「パスワード」、「氏名」、「住所」、「電話番号」、「電子メールアドレス」、「性別」、「生年月日」、「評価」、「顔画像ファイル」等からなるユーザ情報が格納されている。
【０１０３】
「ユーザＩＤ」は、ユーザ（出品者、入札者）を識別するための識別子である。「パスワード」は、入札時等に本人認証に用いられる。「氏名」は、ユーザの氏名である。「住所」は、ユーザの住所である。
【０１０４】
「電話番号」は、ユーザの電話番号である。「電子メールアドレス」は、ユーザの電子メールアドレスである。「性別」は、ユーザの性別である。「生年月日」は、ユーザの生年月日である。「評価」は、当該ユーザが他のユーザに付与された信頼度を表す指標であり、出品者情報７２ｂ（図２参照）や、出品者情報７５ｂ（図３参照）で用いられる。
【０１０５】
「顔画像ファイル」は、ユーザの顔画像（自己紹介用）に関するファイルであり、入札者顔画像７２ｆ（図２参照）、出品者顔画像７５ｆ（図３参照）等として用いられる。
【０１０６】
図１に戻り、オークション情報データベース４５は、出品者用オークションページ７２（図２参照）や入札者用オークションページ７５（図３参照）で表示されるオークション情報を格納するデータベースである。
【０１０７】
具体的には、図５に示したように、オークション情報データベース４５には、「オークションＩＤ」、「商品名」、「商品画像ファイル」、「商品説明ファイル」、「現在の価格」、「残り時間」、「最高額入札者」、「数量」、「入札件数」、「開始価格」、「入札単位」、「開始日時」、「終了日時」、「アクセス総数」、「出品者」等からなるオークション情報が格納されている。
【０１０８】
「オークションＩＤ」、「商品名」、「商品画像ファイル」、「商品説明ファイル」、「現在の価格」、「残り時間」、「最高額入札者」、「数量」、「入札件数」、「開始価格」、「入札単位」、「開始日時」、「終了日時」は、商品情報７２ｃ（図２参照）、商品情報７５ｃ（図３参照）として用いられる。
【０１０９】
「オークションＩＤ」は、当該オークションを識別するための識別子である。「商品名」は、出品されている商品の名称である。「商品画像ファイル」は、当該商品の画像に関するファイルである。「商品説明ファイル」は、商品の説明に関するファイルである。「現在の価格」は、当該商品の入札額のうち最高入札額である。
【０１１０】
「残り時間」は、現在の日時からオークションの終了日時までの時間である。「最高額入札者」は、最高入札額で入札した入札者のユーザＩＤ（図４参照）である。「数量」は、商品の数量である。「入札件数」は、当該商品について入札された件数である。「開始価格」は、入札の開始価格である。
【０１１１】
「入札単位」は、入札額を上げる場合の単位額である。「開始日時」は、当該オークションの開始日時である。「終了日時」は、当該オークションの終了日時である。「アクセス総数」は、当該オークションに関して入札者がアクセスした総数である。「出品者」は、出品者のユーザＩＤ（図４参照）である。
【０１１２】
図１に戻り、オークション装置６０は、インターネット２０を介して、利用者間（出品者、入札者）における物品の売買の機会を提供し、出品者端末１０1〜１０nおよび入札者端末３０1〜３０mに対して、出品者用オークションページ７２（図２参照）および入札者用オークションページ７５（図３参照）を提供する機能を備えている。
【０１１３】
また、オークション装置６０は、出品者用ＨＴＭＬファイル７０および出品者用更新プログラム７１を生成し、これらを出品者端末１０1〜１０nへ送信する。出品者用ＨＴＭＬファイル７０は、出品者用オークションページ７２（図２参照）を記述するためのＨＴＭＬのファイルである。
【０１１４】
出品者用更新プログラム７１は、出品者端末１０1〜１０nで実行され、上述した出品者用オークションページ７２（オークション情報）の更新をブラウザの更新ボタンを押すことなく自動的に行うための更新プログラムである。
【０１１５】
また、オークション装置６０は、入札者用ＨＴＭＬファイル７３および入札者用更新プログラム７４を生成し、これらを入札者端末３０1〜３０mへ送信する。入札者用ＨＴＭＬファイル７３は、入札者用オークションページ７５（図３参照）を記述するためのＨＴＭＬのファイルである。
【０１１６】
入札者用更新プログラム７４は、入札者端末３０1〜３０mで実行され、上述した入札者用オークションページ７５（オークション情報）の更新をブラウザの更新ボタンを押すことなく自動的に行うための更新プログラムである。
【０１１７】
オークション装置６０において、通信部６１は、インターネット２０およびＬＡＮ５０に接続されており、所定の通信プロトコルに従って、通信を制御する。制御部６２は、各部を制御する。この制御部６２の動作の詳細については、後述する。記憶部６３は、制御部６２で用いられるコンピュータプログラムや各種情報を記憶する。
【０１１８】
更新装置８０は、出品者端末１０1〜１０nや入札者端末３０1〜３０mからインターネット２０を介してアクセスされ、出品者用オークションページ７２（オークション情報）や入札者用オークションページ７５（オークション情報）の自動更新に関する処理を実行する装置である。
【０１１９】
更新装置８０において、制御部８１は、各部を制御する。この制御部８１の動作の詳細については、後述する。記憶部８２は、制御部８１で用いられるコンピュータプログラムや各種情報を記憶する。通信部８３は、ＬＡＮ５０およびインターネット２０に接続されており、所定の通信プロトコルに従って、通信を制御する。
【０１２０】
つぎに、一実施例の動作について、図６〜図９を参照して、詳細に説明する。図６は、同一実施例における出品者側処理を説明する図である。図７は、同一実施例における入札者側処理を説明する図である。図８は、同一実施例におけるデータベース更新処理を説明するフローチャートである。図９は、同一実施例における双方向コミュニケーション処理を説明するフローチャートである。
【０１２１】
以下では、図１に示した出品者端末１０1に対応する出品者（ｊｓ）および入札者端末３０1に対応する入札者（ｈａｎａｋｏ）がオークションに参加した場合を一例にとって説明する。
【０１２２】
出品者端末１０1側において、図６に示したステップＳＡ１では、出品者端末１０1は、インターネット２０を介してオークション装置６０にアクセスし、オークションＩＤに対応する出品者用オークションページ７２（図２参照）をリクエストする。ステップＳＡ２では、オークション装置６０の制御部６２は、オークションＩＤをキーとして、データベース装置４０のオークション情報データベース４５（図５参照）からオークション情報を取得する。
【０１２３】
ステップＳＡ３では、オークション装置６０の制御部６２は、ステップＳＡ２で取得したオークション情報に基づいて出品者用ＨＴＭＬファイル７０および出品者用更新プログラム７１を生成し、これらを出品者端末１０1へ送信する。ステップＳＡ４では、出品者端末１０1は、出品者用ＨＴＭＬファイル７０に基づいて、出品者用オークションページ７２（図２参照）を表示する。
【０１２４】
なお、この時点で、出品者用オークションページ７２においては、双方向メッセージ表示欄７２ｈおよびメッセージ入力欄７２ｉには、いずれのメッセージも表示されておらず、入札者顔画像７２ｆも表示されていない。
【０１２５】
ステップＳＡ５では、出品者端末１０1は、出品者用更新プログラム７１を実行し、出品者に関するオークションＩＤおよびユーザＩＤを更新装置８０へ送信する。ステップＳＡ６では、更新装置８０の制御部８１は、オークションＩＤおよびユーザＩＤを記憶部８２に登録した後、オークションＩＤをキーとして、データベース装置４０のオークション情報データベース４５（図５参照）におけるオークション情報（現在の価格、最高額入札者、入札件数、アクセス総数等）が入札により更新されたか否かをチェックする。
【０１２６】
ステップＳＡ７では、更新装置８０の制御部８１は、上記オークション情報に更新が有るか否かを判断し、この場合、判断結果を「Ｎｏ」とする。ステップＳＡ８では、更新装置８０の制御部８１は、出品者端末１０1より終了通知があるか否かを判断し、この場合、判断結果を「Ｎｏ」とする。
【０１２７】
ステップＳＡ６では、制御部８１は、上述した動作と同様にして、当該出品者に関するオークション情報が更新されたか否かをチェックする。以後、ステップＳＡ８の判断結果が「Ｙｅｓ」となるまで、オークション情報の更新チェックが繰り返し実行される。
【０１２８】
また、ステップＳＡ１１では、出品者端末１０1は、更新装置８０より、オークション情報に関する更新情報（実際に更新された情報のみ）を受信したか否かを判断し、この場合、判断結果を「Ｎｏ」とする。ステップＳＡ１２では、出品者端末１０1は、出品者により出品者用オークションページ７２の閲覧の終了が指示されたか否かを判断し、この場合、判断結果を「Ｎｏ」とする。以後、ステップＳＡ１１またはステップＳＡ１２の判断結果が「Ｙｅｓ」となるまで、出品者端末１０1は、ステップＳＡ１１およびステップＳＡ１２の判断を繰り返す。
【０１２９】
入札者端末３０1側において、図７に示したステップＳＢ１では、入札者端末３０1は、インターネット２０を介してオークション装置６０にアクセスし、オークションＩＤに対応する入札者用オークションページ７５（図３参照）をリクエストする。ステップＳＢ２では、オークション装置６０の制御部６２は、オークションＩＤをキーとして、データベース装置４０のオークション情報データベース４５（図５参照）からオークション情報を取得する。
【０１３０】
ステップＳＢ３では、オークション装置６０の制御部６２は、ステップＳＢ２で取得したオークション情報に基づいて入札者用ＨＴＭＬファイル７３および入札者用更新プログラム７４を生成し、これらを入札者端末３０1へ送信する。ステップＳＢ４では、入札者端末３０1は、入札者用ＨＴＭＬファイル７３に基づいて、入札者用オークションページ７５（図３参照）を表示する。
【０１３１】
なお、この時点で、入札者用オークションページ７５においては、双方向メッセージ表示欄７５ｈおよびメッセージ入力欄７５ｉには、いずれのメッセージも表示されておらず、出品者顔画像７５ｆも表示されていない。
【０１３２】
ステップＳＢ５では、入札者端末３０1は、入札者用更新プログラム７４を実行し、入札者に関するオークションＩＤおよびユーザＩＤを更新装置８０へ送信する。ステップＳＢ６では、更新装置８０の制御部８１は、オークションＩＤおよびユーザＩＤを記憶部８２に登録した後、オークションＩＤをキーとして、データベース装置４０のオークション情報データベース４５（図５参照）におけるオークション情報（現在の価格、最高額入札者、入札件数、アクセス総数等）が他の入札者の入札により更新されたか否かをチェックする。
【０１３３】
ステップＳＢ７では、更新装置８０の制御部８１は、上記オークション情報に更新が有るか否かを判断し、この場合、判断結果を「Ｎｏ」とする。ステップＳＢ８では、更新装置８０の制御部８１は、入札者端末３０1より終了通知があるか否かを判断し、この場合、判断結果を「Ｎｏ」として、同判断を繰り返す。
【０１３４】
ステップＳＢ６では、制御部８１は、上述した動作と同様にして、当該入札者に関するオークション情報が更新されたか否かをチェックする。以後、ステップＳＢ８の判断結果が「Ｙｅｓ」となるまで、オークション情報の更新チェックが繰り返し実行される。
【０１３５】
また、ステップＳＢ１１では、入札者端末３０1は、更新装置８０より、オークション情報に関する更新情報（実際に更新された情報のみ）を受信したか否かを判断し、この場合、判断結果を「Ｎｏ」とする。ステップＳＢ１２では、入札者端末３０1は、入札者により入札ボタン７５ｎが押下されたか否かを判断し、この場合、判断結果を「Ｎｏ」とする。
【０１３６】
ステップＳＢ１３では、入札者端末３０1は、入札者により入札者用オークションページ７５の閲覧の終了が指示されたか否かを判断し、この場合、判断結果を「Ｎｏ」とする。以後、ステップＳＢ１１、ステップＳＢ１２またはステップＳＢ１３の判断結果が「Ｙｅｓ」となるまで、入札者端末３０1は、ステップＳＢ１１〜ステップＳＢ１３の判断を繰り返す。
【０１３７】
また、図８に示したステップＳＣ１では、オークション装置６０の制御部６２は、入札者端末３０1〜３０mのうちいずれかの入札端末より入札情報（オークションＩＤ、入札額、パスワード、入札者のユーザＩＤ等）を受信したか否かを判断し、この場合、判断結果を「Ｎｏ」として、同判断を繰り返す。
【０１３８】
一方、ステップＳＤ１では、データベース装置４０の制御部４１は、オークション装置６０より入札情報を受信したか否かを判断し、この場合、判断結果を「Ｎｏ」として、同判断を繰り返す。
【０１３９】
ここで、入札者端末３０1の入札者は、出品者とコミュニケーションをとるべく、入札者用オークションページ７５のコミュニケーションボタン７５ｇを押下する。これにより、入札者端末３０1は、オークションＩＤ、入札者のユーザＩＤ等をオークション装置６０へ送信するとともに、コミュニケーション要求を出す。
【０１４０】
オークション装置６０の制御部６２は、データベース装置４０にアクセスし、オークションＩＤおよび入札者のユーザＩＤをキーとして、出品者の顔画像ファイルおよび入札者の顔画像ファイルを取得し、入札者端末３０1および出品者端末１０1へ送信する。入札者端末３０1は、出品者の顔画像ファイルに基づいて、入札者用オークションページ７５（図３参照）に出品者顔画像７５ｆを表示する。
【０１４１】
一方、出品者端末１０1は、入札者の顔画像ファイルに基づいて、出品者用オークションページ７２（図２参照）に入札者顔画像７２ｆを表示する。これにより、入札者と出品者は、相手方の顔を認識することができる。
【０１４２】
以後、出品者端末１０1および入札者端末３０1では、図９に示した双方向コミュニケーション処理が実行される。ステップＳＥ１では、出品者端末１０1は、出品者用オークションページ７２（図２参照）の送信ボタン７２ｊが押下されたか否かを判断し、この場合、判断結果を「Ｎｏ」とする。ステップＳＥ２では、出品者端末１０1は、入札者端末３０1よりメッセージを受信したか否かを判断し、この場合、判断結果を「Ｎｏ」とする。
【０１４３】
ステップＳＥ３では、出品者端末１０1は、出品者により出品者用オークションページ７２の閲覧の終了が指示されたか否かを判断し、この場合、判断結果を「Ｎｏ」とする。以後、ステップＳＥ１、ステップＳＥ２またはステップＳＥ３の判断結果が「Ｙｅｓ」となるまで、出品者端末１０1は、ステップＳＥ１〜ステップＳＥ３の判断を繰り返す。
【０１４４】
一方、ステップＳＦ１では、入札者端末３０1は、入札者用オークションページ７５（図３参照）の送信ボタン７５ｊが押下されたか否かを判断し、この場合、判断結果を「Ｎｏ」とする。ステップＳＦ２では、入札者端末３０1は、出品者端末１０1よりメッセージを受信したか否かを判断し、この場合、判断結果を「Ｎｏ」とする。
【０１４５】
ステップＳＦ３では、入札者端末３０1は、入札者により入札者用オークションページ７５の閲覧の終了が指示されたか否かを判断し、この場合、判断結果を「Ｎｏ」とする。以後、ステップＳＦ１、ステップＳＦ２またはステップＳＦ３の判断結果が「Ｙｅｓ」となるまで、入札者端末３０1は、ステップＳＦ１〜ステップＳＦ３の判断を繰り返す。
【０１４６】
ここで、図３に示したメッセージ入力欄７５ｉに出品者宛のメッセージ（「こんにちは、あなたは、東京に発送してくれますか？」）が入札者により入力された後、送信ボタン７５ｊが押下されると、入札者端末３０1は、図９に示したステップＳＦ１の判断結果を「Ｙｅｓ」とする。ステップＳＦ４では、入札者端末３０1は、メッセージをオークション装置６０を経由して、出品者端末１０1へ送信する。
【０１４７】
上記メッセージが出品者端末１０1に受信されると、出品者端末１０1は、ステップＳＥ２の判断結果を「Ｙｅｓ」とする。ステップＳＥ５では、出品者端末１０1は、入札者からのメッセージを双方向メッセージ表示欄７２ｈに表示させる。
【０１４８】
つぎに、図２に示したメッセージ入力欄７２ｉに入札者宛のメッセージ（「もちろん。東京のどこですか？」）が出品者により入力された後、送信ボタン７２ｊが押下されると、出品者端末１０1は、図９に示したステップＳＥ１の判断結果を「Ｙｅｓ」とする。ステップＳＥ４では、出品者端末１０1は、メッセージをオークション装置６０を経由して、入札者端末３０1へ送信する。
【０１４９】
上記メッセージが入札者端末３０1に受信されると、入札者端末３０1は、ステップＳＦ２の判断結果を「Ｙｅｓ」とする。ステップＳＦ５では、入札者端末３０1は、出品者からのメッセージを双方向メッセージ表示欄７５ｈに表示させる。以後、上述した動作が繰り返され、出品者と入札者との間で双方向のコミュニケーションがインタラクティブにとられる。
【０１５０】
ここで、他の入札者（ユーザＩＤ（ｔａｎｉｎ））に対応する入札者端末３０mがオークション装置６０にアクセスすると、上述した動作を経て、入札者端末３０mに入札者用オークションページ７５が表示される。
【０１５１】
そして、他の入札者が入札欄７５ｋの入札額入力欄７５ｌに、現在の価格（１５０００円）よりも高い１５５００円を入力するとともに、パスワード入力欄７５ｍにパスワードを入力した後、入札ボタン７５ｎを押下すると、入札者端末３０mは、図７に示したステップＳＢ１２の判断結果を「Ｙｅｓ」とする。
【０１５２】
ステップＳＢ１６では、入札者端末３０mは、入札情報（オークションＩＤ、入札額（１５５００円）、パスワード、入札者のユーザＩＤ（ｔａｎｉｎ）等）をオークション装置６０へ送信する。
【０１５３】
入札者端末３０mからの入札情報がオークション装置６０に受信されると、オークション装置６０の制御部６２は、図８に示したステップＳＣ１の判断結果を「Ｙｅｓ」とする。ステップＳＣ２では、オークション装置６０の制御部６２は、ＬＡＮ５０を介して、入札情報をデータベース装置４０へ送信する。
【０１５４】
オークション装置６０からの入札情報がデータベース装置４０に受信されると、データベース装置４０の制御部４１は、ステップＳＤ１の判断結果を「Ｙｅｓ」とする。ステップＳＤ２では、制御部４１は、入札情報に基づいて、オークション情報データベース４５を更新する。
【０１５５】
具体的には、図５に示したオークション情報データベース４５においては、「現在の価格」が１５０００円から１５５００円に、「最高入札者」がｔａｒｏからｔａｎｉｎに、「入札件数」が１５から１６にそれぞれ更新される。これらの「現在の価格」（１５５００円）、「最高入札者」（ｔａｎｉｎ）および「入札件数」（１６）は、更新情報である。
【０１５６】
上記更新に伴い、図６に示した更新装置８０の制御部８１は、ステップＳＡ６の更新チェックを経て、ステップＳＡ７の判断結果を「Ｙｅｓ」とする。ステップＳＡ９では、制御部８１は、データベース装置４０から上記更新情報を取得する。ステップＳＡ１０では、制御部８１は、出品者端末１０1へ更新情報を送信する。
【０１５７】
そして、更新情報が出品者端末１０1に受信されると、出品者端末１０1は、ステップＳＡ１１の判断結果を「Ｙｅｓ」とする。ステップＳＡ１３では、出品者端末１０1は、更新情報に基づいて、出品者用オークションページ７２（図２参照）を更新する。
【０１５８】
具体的には、出品者用オークションページ７２においては、「現在の価格」が１５０００円から１５５００円に、「最高入札者」がｔａｒｏからｔａｎｉｎに、「入札件数」が１５から１６にそれぞれ更新される。これにより、出品者は、更新ボタンを押下する等の操作を伴うことなく、自動更新されたオークション情報をリアルタイムで閲覧することができる。
【０１５９】
また、上記更新に伴い、図７に示した更新装置８０の制御部８１は、ステップＳＢ６の更新チェックを経て、ステップＳＢ７の判断結果を「Ｙｅｓ」とする。ステップＳＢ９では、制御部８１は、データベース装置４０から上記更新情報を取得する。ステップＳＢ１０では、制御部８１は、入札者端末３０1へ更新情報を送信する。
【０１６０】
そして、更新情報が入札者端末３０1に受信されると、入札者端末３０1は、ステップＳＢ１１の判断結果を「Ｙｅｓ」とする。ステップＳＢ１５では、入札者端末３０1は、更新情報に基づいて、入札者用オークションページ７５（図３参照）を更新する。
【０１６１】
具体的には、入札者用オークションページ７５においては、「現在の価格」が１５０００円から１５５００円に、「最高入札者」がｔａｒｏからｔａｎｉｎに、「入札件数」が１５から１６にそれぞれ更新される。
【０１６２】
これにより、入札者は、更新ボタンを押下する等の操作を伴うことなく、自動更新されたオークション情報をリアルタイムで閲覧することができる。また、入札者は、現在の価格をウォッチしつつ、入札のタイミングをうかがい、入札欄７５ｋに入札額やパスワードを入力した後、入札ボタン７５ｎを押下することにより、入札に参加する。
【０１６３】
そして、出品者により終了の指示が出されると、出品者端末１０1は、図６に示したステップＳＡ１２およびステップＳＥ３（図９参照）の判断結果を「Ｙｅｓ」とする。ステップＳＡ１４では、更新装置８０へ終了通知を出し、終了する。これにより、更新装置８０の制御部８１は、ステップＳＡ８の判断結果を「Ｙｅｓ」として、終了する。
【０１６４】
同様にして、入札者により終了の指示が出されると、入札者端末３０1は、図７に示したステップＳＢ１３およびステップＳＦ３（図９参照）の判断結果を「Ｙｅｓ」とする。ステップＳＢ１４では、更新装置８０へ終了通知を出し、終了する。これにより、更新装置８０の制御部８１は、ステップＳＢ８の判断結果を「Ｙｅｓ」として、終了する。
【０１６５】
以上説明したように、一実施例によれば、図６を参照して説明したように、出品者端末１０1からのリクエストに応じて、出品者用オークションページ７２のファイルおよび出品者用更新プログラム７１を出品者端末１０1へ送信し、出品者端末１０1よりオークションＩＤを受信した場合、当該オークションに関するオークション情報の更新を監視し、オークション情報が更新された場合、出品者端末１０1で出品者用オークションページ７２に反映させるための更新情報を出品者端末１０1へ送信することとしたので、オークション情報の更新をリアルタイムに出品者に通知することができる。
【０１６６】
また、一実施例によれば、出品者端末１０1と入札者端末３０1との間でやりとりされる双方向のコミュニケーション（テキストのメッセージ）をオークション装置６０で仲介することとしたので、スムーズにオークションの取引を行うことができる。
【０１６７】
また、一実施例によれば、図７を参照して説明したように、入札者端末３０1からのリクエストに応じて、入札者用オークションページ７５のファイルおよび入札者用更新プログラム７４を入札者端末３０1へ送信し、入札者端末３０1よりオークションＩＤを受信した場合、当該オークションに関するオークション情報の更新を監視し、オークション情報が更新された場合、入札者端末３０1で入札者用オークションページ７５に反映させるための更新情報を入札者端末３０1へ送信することとしたので、オークション情報の更新をリアルタイムに入札者に通知することができる。
【０１６８】
また、一実施例によれば、図６および図７を参照して説明したように、出品者端末１０1（入札者端末３０1）からのリクエストに応じて、出品者用オークションページ７２（入札者用オークションページ７５）のファイルおよび出品者用更新プログラム７１（入札者用更新プログラム７４）を出品者端末１０1（入札者端末３０1）へ送信し、出品者端末１０1（入札者端末３０1）よりオークションＩＤを受信した場合、当該オークションに関するオークション情報の更新を監視し、オークション情報が更新された場合、出品者端末１０1（入札者端末３０1）で出品者用オークションページ７２（入札者用オークションページ７５）に反映させるための更新情報を出品者端末１０1（入札者端末３０1）へ送信することとしたので、オークション情報の更新をリアルタイムに出品者（入札者）に通知することができる。
【０１６９】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１７０】
例えば、前述した一実施例においては、チャットによりメッセージを介して出品者と入札者とが双方向のコミュニケーションをとる構成例について説明したが、これに限られることなく、図１０に示した変形例１のように、ビデオカメラおよびマイクを用いて、動画および音声を介して、双方向のコミュニケーションをとる構成例としてもよい。
【０１７１】
図１０は、同一実施例の変形例１の構成を示すブロック図である。この図において、図１の各部に対応する部分には同一の符号を付ける。同図においては、出品者端末１０1〜１０nのそれぞれには、ビデオカメラ１１1〜１１nおよびマイク１２1〜１２nが接続されている。ビデオカメラ１１1〜１１nは、出品者側の動画（出品者の表情、商品の紹介等）を撮像し、出品者側動画情報を出力する。マイク１２1〜１２nは、出品者の音声を出品者側音声情報にする。
【０１７２】
これらの出品者側動画情報および出品者側音声情報は、オークション装置６０を介して、入札者端末へ配信される。入札者端末では、図３に示した出品者顔画像７５ｆの位置に出品者側動画が表示され、スピーカ（図示略）より出品者の音声が出力される。
【０１７３】
同様にして、入札者端末３０1〜３０mのそれぞれには、ビデオカメラ３１1〜３１mおよびマイク３２1〜３２mが接続されている。ビデオカメラ３１1〜３１mは、入札者側の動画（入札者の表情等）を撮像し、入札者側動画情報を出力する。マイク３２1〜３２mは、入札者の音声を入札者側音声情報に変換する。
【０１７４】
これらの入札者側動画情報および入札者側音声情報は、オークション装置６０を介して、出品者端末へ配信される。出品者端末では、図２に示した入札者顔画像７２ｆの位置に入札者側動画が表示され、スピーカ（図示略）より入札者の音声が出力される。なお、一実施例においては、出品者と入札者との間におけるコミュニケーションを、テキストのメッセージ、動画、音声を単独または複数組み合わせて行うようにしてもよい。
【０１７５】
このように、一実施例の変形例１では、出品者、入札者の音声（動画）を介してコミュニケーションをとることとしたので、スムーズにオークションの取引を行うことができる。
【０１７６】
また、一実施例では、図１および図１０に示したデータベース装置４０、オークション装置６０および更新装置８０を別設した構成例について説明したが、一実施例の変形例２として、図１１に示したように、データベース装置４０、オークション装置６０および更新装置８０の機能を統合し、一台のオークション装置９０で上述した機能を実現する構成例としてもよい。同図においては、図１の各部に対応する部分には同一の符号を付ける。
【０１７７】
オークション装置９０は、制御部４１（図１参照）、制御部６２および制御部８１の機能を備えた制御部９１と、記憶部４２と、通信部４３と、ユーザ情報データベース４４（図４参照）と、オークション情報データベース４５（図５参照）とから構成されている。
【０１７８】
また、一実施例においては、変形例３として、図１および図１０に示したデータベース装置４０、オークション装置６０、更新装置８０や、図１１に示したオークション装置９０の機能を実現するためのプログラムを図１２に示したコンピュータ読み取り可能な記録媒体２００に記録して、この記録媒体２００に記録されたプログラムを同図に示したコンピュータ１００に読み込ませ、実行することにより各機能を実現してもよい。
【０１７９】
同図に示したコンピュータ１００は、上記プログラムを実行するＣＰＵ（Central Processing Unit）１１０と、キーボード、マウス等の入力装置１２０と、各種データを記憶するＲＯＭ（Read Only Memory）１３０と、演算パラメータ等を記憶するＲＡＭ（Random Access Memory）１４０と、記録媒体２００からプログラムを読み取る読取装置１５０と、ディスプレイ、プリンタ等の出力装置１６０とから構成されている。
【０１８０】
ＣＰＵ１１０は、読取装置１５０を経由して記録媒体２００に記録されているプログラムを読み込んだ後、プログラムを実行することにより、前述した機能を実現する。なお、記録媒体２００としては、光ディスク、フレキシブルディスク、ハードディスク等が挙げられる。
【産業上の利用可能性】
【０１８１】
以上のように、本発明にかかるオークションプログラム、オークション方法およびオークション装置は、インターネット上で開催されるオークションに有用であり、特に、オークション情報の更新に適している。
【図面の簡単な説明】
【０１８２】
【図１】本発明にかかる一実施例の構成を示すブロック図である。
【図２】同一実施例における出品者用オークションページ７２を示す図である。
【図３】同一実施例における入札者用オークションページ７５を示す図である。
【図４】図１に示したユーザ情報データベース４４のテーブル構造を示す図である。
【図５】図１に示したオークション情報データベース４５のテーブル構造を示す図である。
【図６】同一実施例における出品者側処理を説明する図である。
【図７】同一実施例における入札者側処理を説明する図である。
【図８】同一実施例におけるデータベース更新処理を説明するフローチャートである。
【図９】同一実施例における双方向コミュニケーション処理を説明するフローチャートである。
【図１０】同一実施例の変形例１の構成を示すブロック図である。
【図１１】同一実施例の変形例２の構成を示すブロック図である。
【図１２】同一実施例の変形例３の構成を示すブロック図である。
【符号の説明】
【０１８３】
１０1〜１０n  出品者端末
２０  インターネット
３０1〜３０m  入札者端末
４０  データベース装置
４１  制御部
４４  ユーザ情報データベース
４５  オークション情報データベース
６０  オークション装置
６２  制御部
７０  出品者用ＨＴＭＬファイル
７１  出品者用更新プログラム
７３  入札者用ＨＴＭＬファイル
７４  入札者用更新プログラム
８０  更新装置
８１  制御部
８２  記憶部
８３  通信部
９０  オークション装置
【図１】
2005149139.tif 000003
【図２】
2005149139.tif 000004
【図３】
2005149139.tif 000005
【図４】
2005149139.tif 000006
【図５】
2005149139.tif 000007
【図６】
2005149139.tif 000008
【図７】
2005149139.tif 000009
【図８】
2005149139.tif 000010
【図９】
2005149139.tif 000011
【図１０】
2005149139.tif 000012
【図１１】
2005149139.tif 000013
【図１２】
2005149139.tif 000014